(57)【特許請求の範囲】
【請求項１】
盤収容室にはロック受部が設けられ、遊技盤には回転ロック機構が設けられ、遊技盤が本体枠の前側から盤収容室に収容された場合において、回転ロック機構の摘みが回転操作されることによって、回転ロック機構のロック突起がロック受部に挿入され、遊技盤が本体枠に装着されることを特徴とするパチンコ遊技機の遊技盤取付装置であって、回転ロック機構が回転操作具と支持具及び弾性体を備え、回転操作具がロック突起及びガイド突起を備え、支持具がガイド孔及び係合部を備え、ガイド突起とガイド孔との嵌め合いで回転操作具が支持具に対し前後方向に移動可能に構成され、弾性体の弾力によって回転操作具が後側に引っ張られ支持具が前側に押されて回転操作具と支持具とが互いに前後方向で接触して同軸上に構成される一方、回転ロック機構の支持具が遊技盤の前側から遊技盤の支持孔に挿入されることに伴って、支持具における複数の弾性片が互いに内側に撓み、複数の弾性片のそれぞれに設けられたフック部が支持孔を遊技盤の後面の側に越えるのに伴って、複数の弾性片が互いに自身の弾力で外側に復元し、フック部が支持孔を囲む被係合部の後面に受け止められることによって、回転ロック機構が遊技盤に取り付けられることを特徴とするパチンコ遊技機の遊技盤取付装置。
【請求項２】
回転ロック機構が遊技盤に取り付けられた場合、フック部が遊技盤よりも後方に突出しないことを特徴とする請求項１記載のパチンコ遊技機の遊技盤取付装置。
【発明の詳細な説明】
【技術分野】
【０００１】
本発明は、遊技盤の取付作業が簡単なパチンコ遊技機の遊技盤取付装置に関する。
【背景技術】
【０００２】
図７は、特許文献１で開示されたパチンコ遊技機の遊技盤取付装置を示す。図７において、遊技盤２１が遊技機枠１に取り付けられる場合、先ず、遊技盤２１の左側部が本体枠３に設けられた盤受止部８と盤収容室６の背壁１７との間に挿入される。その後、遊技盤２１の右側部が後側に押されるのに伴い、本体枠３に設けられ回転ロック機構７１の操作体７２が遊技盤２１に設けられた貫通孔からなるロック受部７３に後側から挿入されて前側に突出する。その状態において、操作体７２が例えば右方向に９０度回転操作されてロック受部７３の周りの遊技盤２１の前面に係合し、遊技盤２１が本体枠３に取り付けられる。
【０００３】
つまり、上記従来のパチンコ遊技機の遊技盤取付装置は、遊技盤２１の左側を回転中心として遊技盤２１が後方に回転する過程において、本体枠３に設けられた縦長又は横長な操作体７２が遊技盤２１に設けられた縦長又は横長なロック受部７３に後側から挿入する構造である。このため、操作体７２がロック受部７３に挿入されるまで遊技盤２１で目隠しされた状態となり、遊技盤２１を遊技機枠１に取り付ける人が操作体７２のロック受部７３に対する位置を適切に把握することができず、操作体７２がロック受部７３に円滑に挿入されず、遊技盤２１を遊技機枠１に取り付ける作業、つまり、遊技盤２１の取付作業が面倒であるという欠点がある。
【先行技術文献】
【特許文献】
【０００４】
【特許文献１】特開２００８−６１５０号公報
【発明の概要】
【発明が解決しようとする課題】
【０００５】
発明が解決しようとする課題は、遊技盤の取付作業が面倒であるという点である。
【課題を解決するための手段】
【０００６】
本発明は、盤収容室にはロック受部が設けられ、遊技盤には回転ロック機構が設けられ、遊技盤が本体枠の前側から盤収容室に収容された場合において、回転ロック機構の摘みが回転操作されることによって、回転ロック機構のロック突起がロック受部に挿入され、遊技盤が本体枠に装着されることを特徴とするパチンコ遊技機の遊技盤取付装置であって、回転ロック機構が回転操作具と支持具及び弾性体を備え、回転操作具がロック突起及びガイド突起を備え、支持具がガイド孔及び係合部を備え、ガイド突起とガイド孔との嵌め合いで回転操作具が支持具に対し前後方向に移動可能に構成され、弾性体の弾力によって回転操作具が後側に引っ張られ支持具が前側に押されて回転操作具と支持具とが互いに前後方向で接触して同軸上に構成される一方、回転ロック機構の支持具が遊技盤の前側から遊技盤の支持孔に挿入されることに伴って、支持具における複数の弾性片が互いに内側に撓み、複数の弾性片のそれぞれに設けられたフック部が支持孔を遊技盤の後面の側に越えるのに伴って、複数の弾性片が互いに自身の弾力で外側に復元し、フック部が支持孔を囲む被係合部の後面に受け止められることによって、回転ロック機構が遊技盤に取り付けられることを特徴とする。本発明にあっては、回転ロック機構が遊技盤に取り付けられた場合、フック部が遊技盤よりも後方に突出しない態様でもよい。
【発明の効果】
【０００７】
本発明に係るパチンコ遊技機の遊技盤取付装置は、遊技盤が本体枠の盤収容室に前側から収容される過程でも、人が回転ロック機構の摘みの位置やロック受部の位置を適切に把握することができ、遊技盤の取付作業が簡単であるという最も主要な効果がある。
【図面の簡単な説明】
【０００８】
【図１】実施の形態に係るパチンコ遊技機の分解斜視図。
【図２】Ａ図及びＢ図は実施の形態に係るロック機構の分解斜視図。
【図３】実施の形態に係るロック機構の斜視図。
【図４】実施の形態に係るロック機構とその取付部との分解斜視図。
【図５】Ａ図及びＢ図は実施の形態に係るロック機構の取り付け作用図。
【図６】Ａ図乃至Ｃ図は実施の形態に係るロック機構の動作説明図。
【図７】従来のパチンコ遊技機の分解斜視図。
【発明を実施するための形態】
【０００９】
本明細書における「前」、「後」、「左」、「右」、「上」、「下」の方向は、図１の状態に遊技機枠１及び遊技盤２１を置いて矢印Ｓで示す前側から見た場合に特定される方向である。
【００１０】
図１を参照し、パチンコ遊技機について説明する。パチンコ遊技機は、遊技機枠１に遊技盤２１を取り付けることによって構成される。遊技機枠１は、外枠２に本体枠３をヒンジ４で開閉可能に連結し、本体枠３に前扉５を図外のヒンジで開閉可能に連結した構成である。本体枠３には、盤収容室６、開口部７、盤受止部８、ロック受部９、球発射機構１０、図外のタンク、図外の球払出機構が設けられる。前扉５には、窓１２、ガラスユニット１３、球受皿１４、発射操作機構１５が設けられる。
【００１１】
遊技盤２１は、遊技基盤２２に後側部品２３や前側部品２４及び回転ロック機構２５を備えた構成である。回転ロック機構２５については、図２で詳述する。前側部品２４としては、盤面飾り６１、ガイドレール、入賞部品、センター飾り、遊技釘が例示されている。
【００１２】
遊技盤２１は遊技機枠１に次のように取り付けられる。少なくとも、前扉５が図外のヒンジを中心として前側に開けられた状態において、人が遊技盤２１を持って遊技盤２１の左側部を本体枠３の前側から盤収容室６の背壁１６と盤収容室６の左側壁に設けられた盤受止部８との間の隙間に挿入する。
【００１３】
次に、人が遊技盤２１の右側部を押して遊技盤２１の後面を背壁１６に接触させる。その過程において、遊技盤２１の左側部を回転中心として遊技盤２１の右側部が後方に移動するように遊技盤２１が回転されて遊技盤２１の後側部品２３が開口部７を経由して盤収容室６の背壁１６よりも後方に突出する。
【００１４】
その後、人が回転ロック機構２５の摘み３９を例えば右方向に９０度回転操作すると、回転ロック機構２５のロック突起４０が盤収容室６の右側壁に設けられた貫通孔からなるロック受部９に挿入されてかんぬきとして機能し、遊技盤２１の下部が盤収容室６の底壁１７に搭載された状態で、遊技盤２１が本体枠３に装着される。ロック受部９は貫通孔ではなく左側に開放し右側で閉鎖された窪みでもよい。
【００１５】
図１に示すように、回転ロック機構２５が遊技盤２１に前側から操作可能に設けられ、ロック受部９が本体枠３に設けられた構造であるので、遊技盤２１が本体枠３の盤収容室６に前側から収容される過程でも、人が回転ロック機構２５の摘み３９の位置やロック受部９の位置を適切に把握することができ、遊技盤２１を遊技機枠１に取り付ける、遊技盤２１の取付作業が簡単であるという利点がある。ロック受部９と回転ロック機構２５とが上下に分かれて設けられ、回転ロック機構２５が遊技盤２１の右部で上下に分かれて設けられているので、遊技盤２１の上下がロック受部９にロックされることによって、遊技盤２１が遊技機枠１に適切に装着されるという利点がある。
【００１６】
その後、前扉５が本体枠３に開閉不能に閉じられて、パチンコ遊技機が構成される。このパチンコ遊技機は、遊技盤２１が遊技機枠１の内部に格納され、遊技盤２１の前側が前扉５で覆われ、遊技盤２１の球の飛び交う遊技領域が遊技機枠１の前側から前扉５の窓１２及びガラスユニット１３の透明なガラス板を通して視認し得る態様である。
【００１７】
以上のように構成されたパチンコ遊技機において、遊技者が前扉５の球受皿１４にパチンコ球と呼ばれる球を入れ、遊技者が発射操作機構１５を操作すると、球発射機構１０が発射操作機構１５の操作量に応じた発射力で駆動し、球発射機構１０が球受皿１４から遊技機枠１の内部に取り込まれた球を１個ずつ遊技盤２１の前面に向けて発射する。
【００１８】
球発射通路に発射された球は、球発射通路から、遊技盤２１のガイドレールで囲まれた遊技領域の上部に到達する。遊技領域に到達した球は、遊技領域を流下する過程において、入賞部品や遊技釘などに衝突して、流れる方向を変えながら、入賞部品の何れか１つに入賞して遊技盤２１の後側に排出される。入賞部品への球の入賞に伴い球払出機構が駆動し、この駆動によってパチンコ球と呼ばれる球が本体枠３のタンクから球受皿１４に払い出される。入賞部品の何れにも入賞しないで、遊技領域の最下部に到達した球は、アウト口から遊技盤２１の後側に排出される。
【００１９】
図２を参照し、回転ロック機構２５を構成する部品について説明する。回転ロック機構２５の構成部品としては、回転操作具３１、支持具３２、弾性体３３、留具３４、固定具３５を例示する。
【００２０】
図２のＡ図において、回転操作具３１は、円盤状の操作基盤３７にガイド突起３８、摘み３９、ロック突起４０を備える。ガイド突起３８は、操作基盤３７の中心部から後方に直線的に突出する。摘み３９は、操作基盤３７から前方に突出し、かつ、操作基盤３７の前後方向に延びる中心線Ｌ１と直交する一方向に長い横長な板状である。
【００２１】
ロック突起４０は、操作基盤３７の周面から摘み３９の長い方向と中心線Ｌ１との双方に直交する上方に突出する。ロック突起４０の外形は、摘み３９の側端部から右側に行くに従って徐々に上方への突出寸法が大きくなる弧面を形成する。ロック突起４０の右端面は、摘み３９の長い方向と中心線Ｌ１との双方に直交する直線と平行してロック突起４０の最外部と操作基盤３７の周面とに繋がる絶壁４１を構成する。
【００２２】
図２のＢ図において、操作基盤３７には、周辺リブ４２、環状リブ４３、連結リブ４４、ストッパー４５が設けられる。周辺リブ４２は、操作基盤３７の周縁部及びロック突起４０の周縁部から後方に突出する。環状リブ４３は、操作基盤３７の周辺リブ４２とガイド突起３８との間の部分において、中心線Ｌ１を中心とした１つの円周上に位置し、かつ、操作基盤３７から後方に突出する。連結リブ４４は、環状リブ４３とガイド突起３８との双方に連結し、かつ、操作基盤３７から後方に突出する。ストッパー４５は、操作基盤３７の環状リブ４３よりも外側に位置する部分から環状リブ４３や連結リブ４４よりも後方に突出する。ストッパー４５の後端部は半球形の凸部を構成する。ガイド突起３８には、取付孔４６が設けられる。
【００２３】
図２のＡ図に戻り、支持具３２は、円柱状の軸基盤４８に前側中央凹部４９、ガイド孔５０、周壁５１、周辺凹部５２を備える。前側中央凹部４９は、軸基盤４８の中央部に位置し、軸基盤４８の前面から後方への窪みを形成する。ガイド孔５０は、軸基盤４８の中央部を前後方向に貫通する孔を形成する。周壁５１は、軸基盤４８の前後方向に延びる中心線Ｌ１を中心とした１つの円周上に位置し、かつ、前側中央凹部４９を囲む壁を形成する。周辺凹部５２は、周壁５１に前面から後方への窪みを形成する。周辺凹部５２の個数及び位置は、図２のＢ図の連結リブ４４の個数及び位置と対応する。周辺凹部５２の個数及び連結リブ４４の個数は、１個以上であればよい。
【００２４】
図２のＢ図において、軸基盤４８には、後側中央凹部５３、中央リブ５４、係合部５５が設けられる。後側中央凹部５３は、軸基盤４８の後面から前方への窪みを形成する。中央リブ５４は、ガイド孔５０の周縁部から後方に突出し、かつ、ガイド孔５０を囲む。係合部５５は、中心線Ｌ１と直交する方向に対峙する１対として設けられ、軸基盤４８の後側中央凹部５３を囲む部分から後方に突出する弾性片５６と、弾性片５６の後部から中心線Ｌ１と直交する方向の外側に突出するフック部５７とを備える。係合部５５の個数は、３個以上でもよいが、１対であれば、構造が簡素でありながら、ロック機構取付部材への支持が適切に行える。
【００２５】
図２のＡ図及びＢ図において、弾性体３３としては、コイルばねを例示する。コイルばねの内径は、ガイド突起３８の直径よりも大きく、中央リブ５４の外形よりも小さい。留具３４は、コイルばねの外径よりも大きな直径を有する板状になっている。留具３４の中心部には、挿入孔５９が設けられる。挿入孔５９の直径は、ガイド突起３８の直径よりも小さく、かつ、固定具３５としての螺子釘の雄ねじ部の直径よりも大きい。固定具３５としては、有頭な螺子釘を例示する。
【００２６】
次に、図２を参照し、回転ロック機構２５の組立について説明する。先ず、回転操作具３１のガイド突起３８が支持具３２の前方からガイド孔５０に挿入される。これによって、回転操作具３１が支持具３２に対し前後方向に移動可能に案内される。上記ガイド突起３８のガイド孔５０への挿入に伴い、周壁５１が環状リブ４３の内側に嵌め込まれ、連結リブ４４と周辺凹部５２とが互いに嵌め込まれ、回転操作具３１と支持具３２とが互いに同軸状に連結される。これによって、回転操作具３１と支持具３２とが中心線Ｌ１を中心として円周方向に一緒に回転し得る構成になる。
【００２７】
次に、弾性体３３がガイド突起３８のガイド孔５０よりも後方に突出した後部の外側に嵌め込まれる。そして、固定具３５が留具３４の挿入孔５９を経由してガイド突起３８の取付孔４６に締結されると、留具３４がガイド突起３８の後部に固定され、弾性体３３が中央リブ５４と留具３４とに接触して前後方向に圧縮されて弾力を蓄勢し、この弾性体３３の弾力によって回転操作具３１が後側に引っ張られ支持具３２が前側に押され、回転操作具３１と支持具３２とが互いに前後方向で接触し、回転ロック機構２５が図３に示す態様に組み立てられる。
【００２８】
図４を参照し、ロック機構取付部材としての盤面飾り６１の回転ロック機構２５を取り付ける構成について説明する。盤面飾り６１は、遊技基盤２２の前面に取り付けられる部品であって、図１の前側部品２３の１つである。図４に戻り、盤面飾り６１の隅部には、前側凹部６２が盤面飾り６１の前面から後方への窪みとして設けられる。前側凹部６２には、操作具収容部６３、支持孔６４、被係合部６５、解放位置受部６６、拘束位置受部６７が設けられる。操作具収容部６３は、前側凹部６２の前面から後方への窪みとして設けられる。支持孔６４は、操作具収容部６３の前面に前後方向に貫通する孔を形成する。被係合部６５は、支持孔６４の周縁部から後方に突出し、かつ、支持孔６４を囲む。
【００２９】
支持孔６４と被係合部６５との前後方向寸法Ｈ１は、回転ロック機構２５の回転操作具３１とフック部５７との間の前後方向寸法Ｈ２と同じ又は前後方向寸法Ｈ２よりも大きく、遊技基盤２２の前後方向寸法Ｈ３よりも小さい。盤面飾り６１が遊技基盤２２の前面に取り付けられた場合、図５のＡ図に示すように、操作具収容部６３の後面が遊技基盤２２の前面に接触し、被係合部６５が遊技基盤２２に設けられた取付孔６８に挿入されて遊技基盤２２よりも後方に突出しない。
【００３０】
図４に戻り、解放位置受部６６は、支持孔６４の前後方向に延びる中心線Ｌ２を中心とした１つの円周と支持孔６４の前後方向に延びる中心線Ｌ２に直交して上方に延びる直線との交点に位置して、操作具収容部６３の前面から後方への窪み又は貫通孔として設けられる。拘束位置受部６７は、支持孔６４の前後方向に延びる中心線Ｌ２を中心とした１つの円周と支持孔６４の前後方向に延びる中心線Ｌ２に直交して右方に延びる直線との交点に位置して、操作具収容部６３の前面から後方への窪み又は貫通孔として設けられる。解放位置受部６６の配置される１つの円周と拘束位置受部６７の配置される１つの円周とは、同じ円周である。
【００３１】
図４及び図５を参照し、回転ロック機構２５が盤面飾り６１に取り付けられる場合について説明する。先ず、図４において、回転ロック機構２５の留具３４の側と盤面飾り６１の前面の側とが互いに向き合わせられる。そして、支持具３２が盤面飾り６１の支持孔６４に挿入される。この挿入に伴って、図５のＡ図に示すように、支持具３２の複数の弾性片５６が互いに内側に撓む。さらに、図５のＢ図に示すように、支持具３２の支持孔６４への挿入が進行し、回転操作具３１が操作具収容部６３に収容され、フック部５７が支持孔６４を盤面飾り６１の後面の側に越えるのに伴って、複数の弾性片５６が互いに自身の弾力で外側に復元し、フック部５７が被係合部６５の後面に受け止められる。
【００３２】
その場合、ストッパー４５が解放位置受部６６と位置が合わずに操作具収容部６３の前面に接触した場合、弾性体３３が収縮する。その状態において、人が摘み３９を回転操作して、ロック突起４０が上方に配置されるように、かつ、絶壁４１が右側を向くように、かつ、摘み３９が横方向に長くなるような態様になると、図５のＢ図に示すように、ストッパー４５が解放位置受部６６に収容され、弾性体３３の弾力で回転操作具３１の後面が操作具収容部６３の前面に接触する。これによって、回転ロック機構２５が図５のＢ図に示す態様に盤面飾り６１に取り付けられる。
【００３３】
図５のＢ図に示すように、回転ロック機構２５が盤面飾り６１に取り付けられた場合、フック部５７が被係合部６５と遊技基盤２２との間の隙間Ｈ４に配置されて遊技基盤２２よりも後方に突出しないので、遊技盤２１が盤収容室６に収容される際、フック部５７が邪魔にならず、遊技基盤２２の後面が背壁１６に接触でき、フック部５７の逃げ部を背壁１６に設ける必要がなくなる。また、摘み３９が前側凹部６２に配置されて盤面飾り６１よりも前方に突出しないので、遊技盤２１が盤収容室６に装着され、前扉５が閉じられた場合、摘み３９がガラスユニット１３のガラス板に接触することはない。
【００３４】
つまり、図３及び図４に示すように、回転ロック機構２５のガイド突起３８とガイド孔５０との嵌め合いで回転操作具３１が支持具３２に対し前後方向に移動可能に構成され、弾性体３３の弾力によって回転操作具３１が後側に引っ張られ支持具３２が前側に押されて回転操作具３１と支持具３２とが互いに前後方向で接触して同軸上に構成され、係合部５５が支持具３２に設けられた構成である。よって、図４及び図５回転ロック機構２５が盤面飾り６１に取り付けられる場合において、回転ロック機構２５の留具３４の側と盤面飾り６１の前面の側とが互いに向き合わせられた後、回転ロック機構２５の係合部５５が盤面飾り６１の前側から支持孔６４に挿入されるだけで、フック部５７が被係合部６５の後面に受け止められ、回転操作具３１の後面が操作具収容部６３の前面に接触して、図５のＢ図に示すように回転ロック機構２５が盤面飾り６１に取り付けられる。つまり、回転ロック機構２５は、回転操作具３１と支持具３２と弾性体３３との相互作用で盤面飾り６１に装着される構成になっているので、回転操作具３１の回転操作が良くなるうえ、回転ロック機構２５を盤面飾り６１に取り付ける、回転ロック機構２５の取付作業が簡単であるという利点がある。
【００３５】
図６を参照し、回転ロック機構２５の動作について詳述する。先ず、図６のＡ図に示すように、遊技盤２１が盤収容室６に装着された場合、絶壁４１が右側を向き、摘み３９が横方向に長くなり、ストッパー４５が解放位置受部６６に収容された態様になっている。その状態において、人が摘み３９を例えば右方向に回転操作すると、図６のＢ図に示すように、ストッパー４５が解放位置受部６６から前方に抜けるのに伴い、弾性体３３が収縮し、回転操作具３１が前方に移動するが、連結リブ４４と周辺凹部５２との相互の嵌め合いは確保されたままである。解放位置受部６６から抜け出たストッパー４５が弾性体３３の弾力で操作具収容部６３の前面に接触しつつ右方向（図６のＢ図の紙面の後方から前方の方向）に移動するに伴い、回転操作具３１と支持具３２とが一緒になって支持孔６４に対して回転する。上記ストッパー４５が解放位置受部６６から抜け出る際に、操作感が摘み３９を操作する人に伝えられる。
【００３６】
そして、図６のＣ図に示すように、上記摘み３９の右方向の回転が進行すると、ロック突起４０が前側凹部６２より右側に突出した後に本体枠３のロック受部９に挿入された後、ストッパー４５が拘束位置受部６７に出合うのに伴い、弾性体３３の弾力で回転操作具３１が後方に移動し、ストッパー４５が拘束位置受部６７に収容され、遊技盤２１が本体枠３に装着される。ストッパー４５が拘束位置受部６７に収容されることによって、操作感が摘み３９を操作する人に伝えられる。その状態においては、回転操作具３１が不用意に解放位置受部６６の方向に回転することはない。
【００３７】
図６のＣ図に示すように遊技盤２１が本体枠３に装着された状態において、遊技盤２１を本体枠３から外す場合、人が摘み３９を例えば左回りに回転操作するに伴い、ロック突起４０がロック受部９から前側凹部６２の側に抜け、ストッパー４５が拘束位置受部６７から抜けた後に解放位置受部６６に収容され、遊技盤２１を本体枠３から前方（図６のＣ図の紙面の後方から前方の方向）に取り出すことが可能になる。ストッパー４５が拘束位置受部６７から抜け出ることと解放位置受部６６に収容されることによって、操作感が摘み３９を操作する人に伝えられる。
【００３８】
図６のＢ図に示すように、ストッパー４５が操作具収容部６３の前面に接触した場合でも連結リブ４４と周辺凹部５２とが互いに嵌め合わされたまま、回転操作具３１と支持具３２とが一緒になって支持孔６４に対して回転する構成を例示したが、図示はしないが、ストッパー４５が操作具収容部６３の前面に接触した場合に連結リブ４４と周辺凹部５２との嵌め合いが解除されるようにしてもよい。
【００３９】
ストッパー４５が操作具収容部６３の前面に接触した場合に連結リブ４４と周辺凹部５２との嵌め合いが解除される構成では、フック部５７が回転ロック機構２５の中心線Ｌ３を回転中心として周方向に回転しないように、係合部５５に回転規制部を設ける。そして、ストッパー４５が操作具収容部６３の前面に接触したまま、人が摘み３９を回転操作すると、支持具３２が被係合部６５に固定したまま、回転操作具３１だけがガイド孔５０に対し中心線Ｌ３を回転中心として周方向に回転するように構成してもよい。
【００４０】
その場合、周辺凹部５２が支持具３２に設けられていない構造でも適用できる。その理由は、連結リブ４４と周辺凹部５２との嵌め合いが、回転操作具３１と支持具３２との双方を一体として回転させるための構成であり、回転操作具３１だけを回転させる場合には連結リブ４４と周辺凹部５２との嵌め合いがなくてもよいから。
【００４１】
図１において、ロック受部９と回転ロック機構２５とが上下に分かれて設けられた例、つまり、ロック受部９と回転ロック機構２５とが２対設けられた例を説明したが、図示はしないが、ロック受部９と回転ロック機構２５とは１対又は３対以上設けられた構成でも適用できる。また、図示はしないが、遊技盤２１を盤収容室６に収容する構成は、遊技盤２１が左側部を回転中心として盤収容室６に収容される構成に限定されるものではなく、遊技盤２１が本体枠３の前側から盤収容室６に収容される構成であればよく、その場合、盤受止部８は設けられなくてもよい。
【００４２】
図１において、回転ロック機構２５が遊技盤２１の左側部又は上部又は下部に設けられてもよく、その場合、ロック受部９が回転ロック機構２５の設けられる遊技盤２１の左側部又は上部又は下部に対応して盤収容室６の左側壁、上壁、下壁に設けられればよい。また、遊技盤２１の右側部に設けられた回転ロック機構２５に対するロック受部９が盤収容室６の右側壁に設けられた構成を例示したが、図示はしないが、遊技盤２１の右側部上部に設けられた回転ロック機構２５に対するロック受部９を盤収容室６の上壁に設けたり又は遊技盤２１の右側部下部に設けられた回転ロック機構２５に対するロック受部９を盤収容室６の下壁に設けたりしてもよい。また、回転ロック機構２５の摘み３９が左方向に回転操作されることによってロック突起４０がロック受部９にロック受部９に挿入されるようにしてもよい。
【符号の説明】
【００４３】
１は遊技機枠、２は外枠、３は本体枠、４はヒンジ、５は前扉、６は盤収容室、７は開口部、８は盤受止部、９はロック受部、１０は球発射機構、１１は欠番、１２は窓、１３はガラスユニット、１４は球受皿、１５は発射操作機構、１６は背壁、１７は底壁、１８乃至２０は欠番、２１は遊技盤、２２は遊技基盤、２３は後側部品、２４は前側部品、２５は回転ロック機構、２６乃至３０は欠番、３１は回転操作具、３２は支持具、３３は弾性体、３４は留具、３５は固定具、３６は欠番、３７は操作基盤、３８はガイド突起、３９は摘み、４０はロック突起、４１は絶壁、４２は周辺リブ、４３は環状リブ、４４は連結リブ、４５はストッパー、４６は取付孔、４７は欠番、４８は軸基盤、４９は前側中央凹部、５０はガイド孔、５１は周壁、５２は周辺凹部、５３は後側中央凹部、５４は中央リブ、５５は係合部、５６は弾性片、５７はフック部、５８は欠番、５９は挿入孔、６０は欠番、６１は盤面飾り、６２は前側凹部、６３は操作具収容部、６４は支持孔、６５は被係合部、６６は解放位置受部、６７は拘束位置受部、６８は取付孔、６９；７０は欠番、７１は回転ロック機構、７２は操作体、７３はロック受部。
【図１】
0005571339.tif 000002
【図２】
0005571339.tif 000003
【図３】
0005571339.tif 000004
【図４】
0005571339.tif 000005
【図５】
0005571339.tif 000006
【図６】
0005571339.tif 000007
【図７】
0005571339.tif 000008